(57)【要約】【課題】光源の点灯電圧に関係なく光源に過電流が流れるのを抑制することが可能な点灯装置及びそれを備える照明器具を提供する。【解決手段】点灯装置１は、整流回路５と、非絶縁型の力率改善回路６と、非絶縁型の定電流回路７と、を備える。整流回路５は、一対の入力端間に入力される交流電圧を整流する。力率改善回路６は、整流回路５の一対の出力端間に電気的に接続されている。定電流回路７は、力率改善回路６の一対の出力端間に電気的に接続されている。点灯装置１は、力率改善回路６と定電流回路７との間の電路１１を開閉するスイッチ要素８と、定電流回路７の一対の出力端間に電気的に接続される光源１０に過電流が流れたときにスイッチ要素８を制御して電路１１を遮断する制御回路９と、を更に備える。【選択図】図１
2018014310.tif 000002
【特許請求の範囲】
【請求項１】
一対の入力端間に入力される交流電圧を整流する整流回路と、前記整流回路の一対の出力端間に電気的に接続された非絶縁型の力率改善回路と、前記力率改善回路の一対の出力端間に電気的に接続された非絶縁型の定電流回路と、を備え、
前記力率改善回路と前記定電流回路との間の電路を開閉するスイッチ要素と、前記定電流回路の一対の出力端間に電気的に接続される光源に過電流が流れたとき若しくは前記力率改善回路の前記一対の出力端間に過電圧が発生したときに前記スイッチ要素を制御して前記電路を遮断する制御回路と、を更に備える
ことを特徴とする点灯装置。
【請求項２】
前記定電流回路を複数備え、
前記複数の定電流回路がそれぞれ、前記力率改善回路の前記一対の出力端間に接続されており、
前記電路が複数在り、
前記スイッチ要素は、前記複数の定電流回路に対応する前記複数の電路のうち共通する電流経路に設けられている
ことを特徴とする請求項１に記載の点灯装置。
【請求項３】
前記定電流回路は、スイッチング素子と、前記スイッチング素子に直列に接続された抵抗と、を含み、
前記制御回路は、前記抵抗の両端電圧が基準電圧を超えたときに前記スイッチ要素を制御して前記電路を遮断する
ことを特徴とする請求項１又は２に記載の点灯装置。
【請求項４】
前記スイッチ要素は、２つの主端子を有する半導体素子であり、
前記２つの主端子のうち一方の主端子が、前記力率改善回路の前記一対の出力端のうち高電位側の出力端に電気的に接続され、他方の主端子が、前記定電流回路の一対の入力端のうち高電位側の入力端に電気的に接続されている
ことを特徴とする請求項１乃至３のいずれか一項に記載の点灯装置。
【請求項５】
前記力率改善回路は、インダクタと、力率改善用スイッチング素子と、ダイオードと、コンデンサと、スイッチ制御部と、を備え、前記インダクタと前記力率改善用スイッチング素子とを含む直列回路が、前記インダクタが前記整流回路の前記一対の出力端のうち高電位の出力端側となるように、前記整流回路の前記一対の出力端間に接続され、前記ダイオードのアノードが、前記インダクタと前記力率改善用スイッチング素子との接続点に接続され、前記ダイオードのカソードが、前記コンデンサを介して前記整流回路の前記一対の出力端のうち低電位側の出力端に電気的に接続され、前記力率改善用スイッチング素子が前記スイッチ制御部から入力される制御信号に応じて、オン、オフが切り替えられるように構成され、
前記スイッチ要素を駆動する駆動回路を更に備え、
前記駆動回路は、前記インダクタに磁気的に結合した副巻線を有し、前記副巻線の出力電圧に応じて前記スイッチ要素をオン、オフするように構成され、
前記制御回路は、前記スイッチ制御部を制御することで前記スイッチ要素を制御する
ことを特徴とする請求項４記載の点灯装置。
【請求項６】
前記制御回路の動作電圧を生成する制御電源を備え、
前記制御電源は、前記スイッチ要素を介さずに前記力率改善回路の前記一対の出力端間の電圧から前記動作電圧を生成する
ことを特徴とする請求項１乃至５のいずれか一項に記載の点灯装置。
【請求項７】
故障を報知する報知部を備え、
前記制御回路は、前記光源に過電流が流れたとき若しくは前記力率改善回路の前記一対の出力端間に過電圧が発生したときに前記報知部を動作させる
ことを特徴とする請求項１乃至６のいずれか一項に記載の点灯装置。
【請求項８】
請求項１乃至７のいずれか一項に記載の点灯装置と、前記点灯装置の前記定電流回路の前記一対の出力端間に電気的に接続された光源と、前記光源を保持する器具本体と、を備える
ことを特徴とする照明器具。
【発明の詳細な説明】
【技術分野】
【０００１】
本発明は、一般に、点灯装置及びそれを備える照明器具に関し、より詳細には、力率改善回路と降圧チョッパ回路とを含む点灯装置及びそれを備える照明器具に関する。
【背景技術】
【０００２】
従来、複数個（例えば、４８個）の第１発光ダイオードと、複数個（例えば、１６個）の第２発光ダイオードと、点灯装置と、を備える照明装置が提案されている（特許文献１）。ここにおいて、点灯装置は、点灯回路と、制御回路と、で構成されている。点灯回路は、整流回路と、力率改善回路と、第１ＤＣ−ＤＣコンバータと、第２ＤＣ−ＤＣコンバータと、を備えている。
【０００３】
整流回路は、商用交流電源から供給される交流電圧を全波整流する。力率改善回路は、昇圧型のチョッパ回路からなる。第１ＤＣ−ＤＣコンバータは、降圧型のチョッパ回路からなる。第１ＤＣ−ＤＣコンバータは、複数個の第１発光ダイオードに駆動電流を供給する。第２ＤＣ−ＤＣコンバータは、降圧型のチョッパ回路からなる。第２ＤＣ−ＤＣコンバータは、複数個の第２発光ダイオードに駆動電流を供給する。制御回路は、第１ＤＣ−ＤＣコンバータの出力を制御する第１制御回路と、第２ＤＣ−ＤＣコンバータの出力を制御する第２制御回路と、を備える。
【０００４】
照明装置は、複数個の第１発光ダイオードを直列接続して構成された第１光源と、複数個の第２発光ダイオードを直列接続して構成された第２光源と、を備える。
【先行技術文献】
【特許文献】
【０００５】
【特許文献１】特開２０１５−７２７７９号公報
【発明の概要】
【発明が解決しようとする課題】
【０００６】
上述の点灯装置では、例えば、第２光源の点灯電圧が交流電圧の最大値（例えば、１４１Ｖ）よりも低い場合、第２光源の点灯状態において第１ＤＣ−ＤＣコンバータのスイッチング素子が短絡故障すると、第２光源に過電流が流れ続けてしまう懸念がある。ここにおいて、「第２光源の点灯電圧」とは、複数個の第２発光ダイオードの順方向電圧の合計の順方向電圧である。
【０００７】
本発明の目的は、光源の点灯電圧に関係なく光源に過電流が流れるのを抑制することが可能な点灯装置及びそれを備える照明器具を提供することにある。
【課題を解決するための手段】
【０００８】
本発明に係る一態様の点灯装置は、整流回路と、非絶縁型の力率改善回路と、非絶縁型の定電流回路と、を備える。前記整流回路は、一対の入力端間に入力される交流電圧を整流する。前記力率改善回路は、前記整流回路の一対の出力端間に電気的に接続されている。前記定電流回路は、前記力率改善回路の一対の出力端間に電気的に接続されている。点灯装置は、スイッチ要素と、制御回路と、を更に備える。前記スイッチ要素は、前記力率改善回路と前記定電流回路との間の電路を開閉する。前記制御回路は、前記定電流回路の一対の出力端間に電気的に接続される光源に過電流が流れたとき若しくは前記力率改善回路の前記一対の出力端間に過電圧が発生したときに前記スイッチ要素を制御して前記電路を遮断する。
【０００９】
本発明に係る一態様の照明器具は、上記の点灯装置と、前記点灯装置の前記定電流回路の前記一対の出力端間に電気的に接続された光源と、前記光源を保持する器具本体と、を備える。
【発明の効果】
【００１０】
本発明の点灯装置及びそれを備える照明器具は、光源の点灯電圧に関係なく光源に過電流が流れるのを抑制することが可能となる。
【図面の簡単な説明】
【００１１】
【図１】図１は、本発明の実施形態１に係る点灯装置の回路図である。
【図２】図２は、同上の点灯装置を備える照明器具の分解斜視図である。
【図３】図３は、比較例の点灯装置の回路図である。
【図４】図４は、本発明の実施形態２に係る点灯装置の回路図である。
【発明を実施するための形態】
【００１２】
（実施形態１）
以下では、本実施形態の点灯装置１について図１及び２に基づいて説明する。
【００１３】
点灯装置１は、この点灯装置１に接続される光源１０を点灯させる装置である。光源１０は、複数のＬＥＤ１００を含んでいる。より詳細には、光源１０では、複数のＬＥＤ１００が直列接続されている。
【００１４】
点灯装置１は、整流回路５と、非絶縁型の力率改善回路（Power Factor Correction Circuit）６と、非絶縁型の定電流回路７と、を備える。
【００１５】
整流回路５は、一対の入力端間に入力される交流電圧を整流する。より詳細には、整流回路５は、例えば、商用電源２から一対の入力端間に入力される交流電圧を全波整流するダイオードブリッジからなる全波整流回路である。
【００１６】
点灯装置１は、雷サージ等に起因して点灯装置１や光源１０が絶縁破壊するのを防止する観点から、サージ吸収素子１６を更に備えるのが好ましい。サージ吸収素子１６は、整流回路５の一対の入力端間に電気的に接続されているのが好ましい。
【００１７】
また、点灯装置１は、商用電源２が接続される一対の入力端子１７、１８を備え、一対の入力端子１７、１８のうちの一方の入力端子１７と、整流回路５の一対の入力端のうちの一方の入力端との間の電路にヒューズ３が設けられているのが好ましい。点灯装置１では、例えば、光源１０が点灯している状態において整流回路５の全波整流回路が短絡したときにヒューズ３が溶断するようにヒューズ３の定格電流を選定してあるのが好ましい。
【００１８】
力率改善回路６は、整流回路５の一対の出力端間に電気的に接続されている。力率改善回路６は、整流回路５によって全波整流された直流電圧の力率を改善する。力率改善回路６は、整流回路５から出力される直流電圧を昇圧する昇圧チョッパ回路である。力率改善回路６は、整流回路５によって全波整流された直流電圧波形の波高値（例えば、１４１Ｖ）よりも大きな出力電圧を出力するように構成されている。要するに、力率改善回路６は、交流電圧の最大値（例えば、約１４１Ｖ）よりも大きな出力電圧を出力するように構成されている。力率改善回路６の出力電圧は、例えば、２８０Ｖである。
【００１９】
力率改善回路６は、インダクタ６２と、スイッチング素子６３と、ダイオード６４と、コンデンサ６５と、制御用ＩＣ（Integrated Circuit）６６と、を備える。
【００２０】
力率改善回路６におけるインダクタ６２とスイッチング素子６３との直列回路は、インダクタ６２が整流回路５の一対の出力端のうち高電位の出力端側となるように、整流回路５の一対の出力端間に接続されている。ダイオード６４のアノードは、インダクタ６２とスイッチング素子６３との接続点に接続されている。ダイオード６４のカソードは、コンデンサ６５を介して整流回路５の一対の出力端のうち低電位側の出力端に電気的に接続されている。スイッチング素子６３は、例えば、エンハンスメント型のｎチャネルＭＯＳＦＥＴである。スイッチング素子６３は、制御用ＩＣ６６から入力される制御信号に応じて、オン、オフが切り替えられる。言い換えれば、制御用ＩＣ６６は、スイッチング素子６３のオン、オフを制御する第１制御部を構成している。第１制御部は、制御用ＩＣ６６により構成される場合に限らず、例えば、複数のディスクリート部品（電子部品）を適宜接続して構成してもよい。
【００２１】
力率改善回路６では、スイッチング素子６３のオン期間には、スイッチング素子６３に電流が流れ、スイッチング素子６３のオフ期間には、ダイオード６４に電流が流れる。力率改善回路６における制御用ＩＣ６６は、力率改善回路６の出力電圧が所定値（例えば、２８０Ｖ）となるようにスイッチング素子６３のオン期間を制御する。
【００２２】
定電流回路７は、力率改善回路６の一対の出力端間に電気的に接続されている。より詳細には、定電流回路７は、力率改善回路６のコンデンサ６５の両端間に電気的に接続されている。定電流回路７は、例えば、力率改善回路６から出力される直流電圧を降圧する降圧チョッパ回路である。より詳細には、定電流回路７は、力率改善回路６から出力される直流電圧を、光源１０へ供給する直流電圧に降圧する降圧チョッパ回路である。ここにおいて、定電流回路７は、光源１０へ定電流を供給する。
【００２３】
定電流回路７は、ダイオード７２と、スイッチング素子７３と、コンデンサ７４と、インダクタ７５と、抵抗７６と、制御用ＩＣ（Integrated Circuit）７７と、を備える。
【００２４】
定電流回路７では、ダイオード７２とスイッチング素子７３と抵抗７６との直列回路が、ダイオード７２のカソードが力率改善回路６の一対の出力端のうち高電位の出力端側となるように、力率改善回路６の一対の出力端間に接続されている。定電流回路７では、ダイオード７２の両端間に、コンデンサ７４とインダクタ７５との直列回路が接続されている。スイッチング素子７３は、例えば、エンハンスメント型のｎチャネルＭＯＳＦＥＴである。制御用ＩＣ７７は、スイッチング素子７３のオン、オフを制御する第２制御部を構成している。定電流回路７では、光源１０を定格点灯させるときに光源１０に流す電流の電流値を抵抗７６の抵抗値により決めることができる。制御用ＩＣ７７は、例えば、外部（制御装置）から取得した調光信号で指示される調光レベルに基づいてスイッチング素子７３のオンオフを制御することにより、定電流回路７から光源１０に供給させる直流電力の大きさを調整するように構成されていてもよい。
【００２５】
点灯装置１は、定電流回路７を複数（例えば、２つ）備えている。ここにおいて、点灯装置１では、複数の定電流回路７が、力率改善回路６の一対の出力端間に電気的に接続されている。言い換えれば、点灯装置１では、１つの力率改善回路６に対して複数の定電流回路７が電気的に接続されている。ここで、点灯装置１では、複数の定電流回路７が、並列接続されている。
【００２６】
以下では、２つの定電流回路７のうちの１つの定電流回路７を、第１定電流回路７０１と称し、残りの１つの定電流回路７を第２定電流回路７０２と称する。また、以下では、点灯装置１を備える照明器具３００（図２参照）において第１定電流回路７０１の一対の出力端間に電気的に接続された光源１０を第１光源１０１と称し、第２定電流回路７０２の一対の出力端間に電気的に接続された光源１０を第２光源１０２と称する。
【００２７】
第１光源１０１は、複数の第１ＬＥＤ（Light Emitting Diode）１１１を含んでいる。より詳細には、第１光源１０１では、複数（例えば、３０個）の第１ＬＥＤ１１１が直列接続されている。第１光源１０１の点灯電圧は、各第１ＬＥＤ１１１の順方向電圧（Ｖｆ）の合計電圧である。第１ＬＥＤ１１１の順方向電圧は、例えば、３．５Ｖ程度である。
【００２８】
第２光源１０２は、複数の第２ＬＥＤ１１２を含んでいる。より詳細には、第２光源１０２では、複数（例えば、３０個）の第２ＬＥＤ１１２が直列接続されている。第２光源１０２の点灯電圧は、各第１ＬＥＤ１１２の順方向電圧（Ｖｆ）の合計電圧である。第２ＬＥＤ１１２の順方向電圧は、例えば、３．５Ｖ程度である。
【００２９】
複数の第１ＬＥＤ１１１及び複数の第２ＬＥＤ１２２の各々の光源色は、例えば、ＪＩＳ  Ｚ９１１２：２０１２で定義されているＬＥＤの光源色の相関色温度に基づいて設定されているのが好ましい。ＪＩＳ  Ｚ９１１２：２０１２では、ＬＥＤの光源色が、ＸＹＺ表色系における色度によって、昼光色、昼白色、白色、温白色及び電球色の５種類に区分される。第１ＬＥＤ１１１の光源色は、例えば、昼白色である。第２ＬＥＤ１１２の光源色は、例えば、電球色である。
【００３０】
点灯装置１についてより詳細に説明する前に、図３に示す比較例の点灯装置１ｒについて説明する。
【００３１】
比較例の点灯装置１ｒは、力率改善回路６と定電流回路７との間に設けられた第１保護回路１３と、定電流回路７と光源１０との間に設けられた第２保護回路１４と、を備える。比較例の点灯装置１ｒに関して、点灯装置１と同様の構成要素には同一の符号を付して説明を適宜省略する。
【００３２】
第１保護回路１３は、力率改善回路６と定電流回路７との間の電流経路に設けられた第１ヒューズ１３１と、ＬＣ回路１３２と、を備えている。ＬＣ回路１３２は、定電流回路７が正常に動作しているときに第１ヒューズ１３１に第１ヒューズ１３１の定格電流の５０％以下の電流が流れ、かつ、定電流回路７に異常が発生したときに第１ヒューズ１３１に第１ヒューズ１３１の定格電流の２１０％以上の電流が流れるようにするための回路である。ここにおいて、「定電流回路７に異常が発生」とは、定電流回路７のスイッチング素子７３に短絡故障が発生したとき、制御用ＩＣ７７が制御不能になったとき等である。ＬＣ回路１３２は、インダクタ１３３とコンデンサ１３４との直列回路である。コンデンサ１３４は、例えば、フィルムコンデンサにより構成されている。点灯装置１ｒでは、力率改善回路６の一対の出力端のうち高電位側の出力端が、第１ヒューズ１３１とインダクタ１３３との直列回路を介して定電流回路７の一対の入力端のうち高電位側の入力端に電気的に接続されている。点灯装置１ｒでは、定電流回路７の一対の入力端間に、第１保護回路１３のコンデンサ１３４が電気的に接続されている。
【００３３】
点灯装置１ｒを備える照明器具では、例えば、光源１０における複数のＬＥＤ１００が樹脂製のレンズ等の光学部材で覆われる場合がある。ここにおいて、光学部材は、光源１０の複数のＬＥＤ１００を覆うように複数のＬＥＤ１００に近接して配置されることが多い。このため、点灯装置１ｒを照明器具に適用する場合には、例えば、光源１０に過電流が流れたときに光源１０で発生する熱によって光学部材が変形しないようにヒューズの定格電流を選定するのが好ましかった。そこで、点灯装置１ｒを備える照明器具の設計では、例えば点灯装置１ｒを備える照明器具において光源１０からの光を制御するレンズ等の光学部材が変形するときの電流を測定してから、第１ヒューズ１３１を選定することが好ましかった。また、光源１０では、ＬＥＤ１００に過電流が流れ続けると、光源１０の寿命が短くなってしまう懸念がある。
【００３４】
第２保護回路１４は、定電流回路７と光源１０との間の電流経路に設けた第２ヒューズ１４１により構成されている。
【００３５】
点灯装置１ｒは、定電流回路７を複数備える場合、複数の定電流回路７毎に第１保護回路１３と第２保護回路１４との少なくとも一方を備える必要がある。ここにおいて、第１保護回路１３と第２保護回路１４とのうち第２保護回路１４だけ備えていて、通常時に第２ヒューズ１４１に流れる電流を第２ヒューズ１４１の定格電流の５０％以下にすることが困難な場合、第２保護回路１４の代わりに、第１保護回路１３を備えるようにすればよい。ここで、複数の定電流回路７に一対一で電気的に接続される複数の光源１０それぞれで点灯電圧が異なる場合には、定電流回路７と第１保護回路１３又は第２保護回路１４とを含む複数の系統ごとに第１ヒューズ１３１又は第２ヒューズ１４１の定格電流を選定する必要がある。このため、点灯装置１ｒでは、回路設計を含めた開発コストの低コスト化が難しかった。また、点灯装置１ｒでは、複数の系統ごとにＬＣ回路１３２を設けた場合、点灯装置１ｒを構成するための複数の電子部品を実装する回路基板における当該複数の電子部品の実装領域の面積が大きくなりやすかった。ここにおいて、複数の電子部品は、ＬＣ回路１３２のインダクタ１３３及びコンデンサ１３４を含む。
【００３６】
本実施形態の点灯装置１は、スイッチ要素８と、複数の定電流回路７に一対一に対応する複数の制御回路９と、を更に備える。スイッチ要素８は、力率改善回路６と定電流回路７との間の電路１１を開閉する。制御回路９は、光源１０に過電流が流れたときにスイッチ要素８を制御して電路１１を遮断する（開く）。これにより、点灯装置１では、光源１０に流れる過電流が遮断される。
【００３７】
スイッチ要素８は、一対の主端子を有する半導体素子、より詳細にはトランジスタの一種であるＭＯＳＦＥＴ（Metal-Oxide-Semiconductor Field Effect Transistor）８１により構成されている。スイッチ要素８を構成する半導体素子は、一対の主端子（ここでは、ソース端子及びドレイン端子）の他に、制御端子（ここでは、ゲート端子）を有する。スイッチ要素８を構成するＭＯＳＦＥＴ８１は、ｐチャネルのエンハンスメント型ＭＯＳＦＥＴである。また、ＭＯＳＦＥＴ８１は、パワーＭＯＳＦＥＴである。点灯装置１では、ＭＯＳＦＥＴ８１の一方の主端子（ソース端子）が力率改善回路６の一対の出力端のうち高電位側の出力端に電気的に接続され、他方の主端子（ドレイン端子）が定電流回路７の一対の入力端のうち高電位側の入力端に電気的に接続されている。また、点灯装置１では、ＭＯＳＦＥＴ８１の制御端子（ゲート端子）が制御回路９（過電流検出回路）に電気的に接続されている。
【００３８】
制御回路９は、定電流回路７の抵抗７６の両端電圧が基準電圧を超えたときにスイッチ要素８を制御して力率改善回路６と定電流回路７との間の電路１１を遮断するように構成されている。一例として、制御回路９は、コンパレータ９１と、半導体スイッチ素子９２と、を備える。半導体スイッチ素子９２は、例えば、ｎｐｎ型のバイポーラトランジスタである。
【００３９】
コンパレータ９１の非反転入力端子は、スイッチング素子７３と抵抗７６との接続点に電気的に接続されている。これにより、コンパレータ９１の非反転入力端子には、抵抗７６の両端電圧が入力される。コンパレータ９１の反転入力端子は、基準電圧生成回路１５に電気的に接続されている。これにより、コンパレータ９１の反転入力端子には、基準電圧生成回路１５で発生した基準電圧が入力される。コンパレータ９１は、定電流回路７の抵抗７６の両端電圧と基準電圧とを比較する。半導体スイッチ素子９２の制御端子（ベース端子）は、コンパレータ９１の出力端子に電気的に接続されている。半導体スイッチ素子９２の一方の主端子（コレクタ端子）は、ＭＯＳＦＥＴ８１のゲート端子及び制御電源１９と電気的に接続されている。制御電源１９の電圧は、例えば、５Ｖである。半導体スイッチ素子９２の他方の主端子（エミッタ端子）は、グラウンドに電気的に接続されている。基準電圧については、例えば、スイッチング素子７３が短絡故障したときに抵抗７６に流れる過電流の電流値と抵抗７６の抵抗値との積よりも小さく、かつ、スイッチング素子７３が短絡故障していないときに抵抗７６に流れる電流の電流値と抵抗７６の抵抗値との積よりも大きくなるように決めればよい。基準電圧生成回路１５は、例えば、マイコン（Microcontroller）に適宜のプログラムを実行させることにより実現することができる。
【００４０】
点灯装置１では、例えば、定電流回路７のスイッチング素子７３が短絡故障すると、比較例の点灯装置１ｒと同様、光源１０に過電流が流れる。点灯装置１では、光源１０に過電流が流れて抵抗７６の両端電圧が基準電圧を超えると、コンパレータ９１の出力信号がローレベルからハイレベルに変化するので、半導体スイッチ素子９２がオフ状態からオン状態に変化する。これにより、点灯装置１では、制御回路９がスイッチ要素８をオン状態からオフ状態に制御する。したがって、点灯装置１では、制御回路９によりスイッチ要素８が制御されることにより、電路１１が遮断され、光源１０の過電流が遮断される。
【００４１】
以上説明した本実施形態の点灯装置１は、整流回路５と、非絶縁型の力率改善回路６と、非絶縁型の定電流回路７と、を備える。整流回路５は、一対の入力端間に入力される交流電圧を整流する。力率改善回路６は、整流回路５の一対の出力端間に電気的に接続されている。定電流回路７は、力率改善回路６の一対の出力端間に電気的に接続されている。点灯装置１は、スイッチ要素８と、制御回路９と、を更に備える。スイッチ要素８は、力率改善回路６と定電流回路７との間の電路１１を開閉する。制御回路９は、定電流回路７の一対の出力端間に電気的に接続される光源１０に過電流が流れたときにスイッチ要素８を制御して電路１１を遮断する。
【００４２】
以上の構成により、点灯装置１は、光源１０の点灯電圧に関係なく光源１０に過電流が流れるのを抑制することが可能となる。ここにおいて、点灯装置１では、光源１０に過電流が流れると、制御回路９によりスイッチ要素８が制御されて力率改善回路６と定電流回路７との間の電路１１が遮断され、過電流が遮断される。よって、点灯装置１は、定電流回路７に異常が発生したとしても、光源１０の点灯電圧に関係なく光源１０に過電流が流れ続けるのを抑制することが可能となる。
【００４３】
点灯装置１は、定電流回路７を複数備える。ここで、点灯装置１では、複数の定電流回路７それぞれが、力率改善回路６の一対の出力端間に接続されている。点灯装置１では、電路１１が複数在る。スイッチ要素８は、複数の定電流回路７に対応する複数の電路１１のうち共通する電流経路１２に設けられている。これにより、点灯装置１は、複数の定電流回路７を備えた構成において、比較例の点灯装置１ｒのように複数の定電流回路７に一対一で対応するように第１保護回路１３又は第２保護回路１４を複数備える場合と比べて、低コスト化を図ることが可能となる。また、点灯装置１は、点灯装置１を構成するための複数の電子部品４１を実装する回路基板４０（図２参照）における当該複数の電子部品４１の実装領域の面積を、比較例における複数の電子部品の実装領域の面積よりも低減することが可能となる。回路基板４０は、例えば、プリント配線板により構成されている。プリント配線板は、例えば、ＣＥＭ−３（Composite Epoxy Materials-3）の規格を満たすガラス布・ガラス不織布複合基材エポキシ樹脂銅張積層板から形成されている。
【００４４】
点灯装置１では、定電流回路７は、スイッチング素子７３と、スイッチング素子７３に直列に接続された抵抗７６と、を含むのが好ましい。ここで、制御回路９は、抵抗７６の両端電圧が基準電圧を超えたときにスイッチ要素８を制御して電路１１を遮断するのが好ましい。これにより、点灯装置１は、過電流をより精度良く検出可能となり、例えば、力率改善回路６の出力電圧が閾値未満となったときにスイッチ要素８を制御して電路１１を遮断するように構成した例と比べて、過電流をより確実に抑制することが可能となる。ここにおいて、制御回路９は、例えば、コンパレータ９１等を用いた簡単な回路構成とすること可能である。
【００４５】
以下、点灯装置１を備える照明器具３００について図２に基づいて説明する。
【００４６】
照明器具３００は、天井３０９に取り付けられるシーリングライトである。照明器具３００は、器具本体３０２と、回路モジュール４と、電源カバー３０６、光源カバー３０７と、グローブ３１６と、を備える。回路モジュール４は、点灯装置１（電源装置）と、この点灯装置１に接続された光源１０と、を含んでいる。ここで、回路モジュール４は、光源１０を複数（２つ）備えている（図１参照）。
【００４７】
以下では、照明器具３００に対して天井３０９側を上方向、床側を下方向として説明する。
【００４８】
天井３０９には、引掛シーリングローゼット３９１が設けられている。引掛シーリングローゼット３９１は、照明器具３００を支持し、かつ照明器具３００に電源供給する電源ソケットである。
【００４９】
照明器具３００は、引掛シーリングローゼット３９１に対して電気的及び機械的に接続される円柱状のアダプタ３１１を備えている。アダプタ３１１は、外周面（外側面）の一部から進退自在に突出した２つの引掛爪３１１１が設けられている。２つの引掛爪３１１１は、アダプタ３１１の外周面から互いに反対向きに突出している。
【００５０】
器具本体３０２は、例えば金属製である。器具本体３０２は、例えば円盤状に形成されている。器具本体３０２の中央部には、アダプタ３１１を通す円形の貫通孔３２１が設けられている。器具本体３０２には、器具本体３０２の下面側に配置される固定部材３１２が固定されている。固定部材３１２は、器具本体３０２の貫通孔３２１と略同径の貫通孔３１２１を有する円筒部３１２２と、円筒部３１２２の上端に形成されたフランジ３１２３とを備えている。
【００５１】
照明器具３００を天井３０９に取り付けるには、例えば、作業者が、器具本体３０２の貫通孔３２１にアダプタ３１１を通すように天井３０９に向かって器具本体３０２を押し上げることで、器具本体３０２を天井３０９に取り付ければよい。この場合、アダプタ３１１の引掛爪３１１１が固定部材３１２の円筒部３１２２の下端部に引っ掛かることで、器具本体３０２が天井３０９に取り付けられる。
【００５２】
照明器具３００は、器具本体３０２の下面側において固定部材３１２を囲むように配置されてアダプタ３１１を保護する保護カバー３１５を更に備える。保護カバー３１５は、器具本体３０２に固定されている。
【００５３】
回路モジュール４では、複数（図示例では３０個）の第１ＬＥＤ１１１及び複数（図示例では３０個）の第２ＬＥＤ１１２が回路基板４０に実装されている。
【００５４】
回路モジュール４では、複数（図示例では６０個）のＬＥＤ１００が、回路基板４０上において、回路基板４０の周方向に沿って２列に分けて並んでいる。回路モジュール４では、２列の各列において、複数（３０個）のＬＥＤ１１０が、略等間隔で並んでいる。ここでいう「略等間隔」とは、厳密に同じ間隔でなくてもよく、所定の範囲内の間隔であればよい。回路モジュール４では、２列の各列において、第１ＬＥＤ１１１と第２ＬＥＤ１１２とが交互に並んでいる。
【００５５】
回路モジュール４は、複数（例えば、３０個）の第１ＬＥＤ１１１を直列接続して構成された第１光源１０１と、複数（例えば、３０個）の第２ＬＥＤ１１２を直列接続して構成された第２光源１０２と、を備えている。
【００５６】
回路モジュール４は、器具本体３０２の下面側に配置されて器具本体３０２に取り付けられている。回路基板４０は、４つの角の各々が円弧状に湾曲した略矩形板状に形成されている。回路基板４０は、その中央部に、保護カバー３１５を通す略円形の貫通孔４２が設けられている。
【００５７】
回路基板４０には、点灯装置１の複数の電子部品４１（例えば、ＭＯＳＦＥＴ８１、ダイオード７２、スイッチング素子７３、抵抗７６、コンデンサ７４、インダクタ７５、制御用ＩＣ７７、コンパレータ９１、半導体スイッチ素子９２等）も実装されている。回路基板４０では、複数のＬＥＤ１００を実装する実装領域（ＬＥＤ実装領域）よりも内側に、複数の電子部品４１を実装する実装領域（電子部品実装領域）がある。回路モジュール４は、電源ケーブルの一端が接続されるコネクタを備えている。電源ケーブルは、一端が回路モジュール４のコネクタに電気的に接続され、他端がアダプタ３１１に電気的に接続される。これにより、回路モジュール４における点灯装置１は、電源ケーブルを介してアダプタ３１１と電気的に接続される。
【００５８】
点灯装置１は、アダプタ３１１を介して商用電源２から給電されて複数（２個）の光源１０を点灯させる。
【００５９】
照明器具３００は、点灯装置１を覆う電源カバー３０６と、２つの光源１０を覆う光源カバー３０７と、を更に備える。
【００６０】
電源カバー３０６は、金属製であるのが好ましい。電源カバー３０６は、上面が開口したボウル状に形成されている。電源カバー３０６は、点灯装置１が備える複数の電子部品４１と接触せずに点灯装置１を下側から覆うように回路基板４０に取り付けられている。また、電源カバー３０６は、アダプタ３１１の下面を露出させるように底壁に貫通孔３６２が設けられている。
【００６１】
光源カバー３０７は、円盤状に形成されており、中央部に、電源カバー３０６を通す貫通孔３７１が設けられている。光源カバー３０７は、複数のＬＥＤ１００と接触せずに複数のＬＥＤ１００を下側から覆うように器具本体３０２に取り付けられている。光源カバー３０７は、樹脂製である。光源カバー３０７は、透光性を有する。光源カバー３０７は、例えば、レンズ等を一体に備えた光学部材でもよい。
【００６２】
また、器具本体３０２の下面には、３つの取付部材３１４が設けられている。照明器具３００では、ドーム状のグローブ３１６が、３つの取付部材３１４により器具本体３０２に取り付けられている。
【００６３】
以上説明した本実施形態における照明器具３００は、点灯装置１と、点灯装置１の定電流回路７の一対の出力端間に電気的に接続された光源１０と、光源１０を保持する器具本体３０２と、を備える。これにより、照明器具３００は、光源１０の点灯電圧に関係なく光源１０に過電流が流れるのを抑制することが可能となる。
【００６４】
ところで、点灯装置１において、スイッチ要素８は、ＭＯＳＦＥＴ８１に限らず、例えば、バイポーラトランジスタ、ＩＧＢＴ（Insulated Gate Bipolar Transistor）、リレーの接点等でもよい。スイッチ要素８を構成する半導体素子は、ｐチャネルのエンハンスメント型ＭＯＳＦＥＴに限らず、例えば、ｎチャネルのエンハンスメント型ＭＯＳＦＥＴでもよい。この場合、半導体素子（ｎチャネルのエンハンスメント型ＭＯＳＦＥＴ）は、一方の主端子（ソース端子）が力率改善回路６の一対の出力端のうち低電位側の出力端に電気的に接続され、他方の主端子（ドレイン端子）が定電流回路７の一対の入力端のうち低電位側の入力端に電気的に接続されていればよい。
【００６５】
（実施形態２）
以下では、本実施形態の点灯装置１ａについて図４に基づいて説明する。本実施形態の点灯装置１ａは、実施形態１の点灯装置１（図１参照）における力率改善回路６、制御回路９、ＭＯＳＦＥＴ８１及び制御電源１９それぞれの代わりに、力率改善回路６ａ、制御回路９ａ、ＭＯＳＦＥＴ８２及び制御電源１９ａを備える点で実施形態１の点灯装置１と相違する。また、本実施形態の点灯装置１ａは、スイッチ要素８を駆動する駆動回路８０を備える点で実施形態１の点灯装置１と相違する。また、本実施形態の点灯装置１ａは、制御回路９ａに接続された報知部１９０を備える点で実施形態１の点灯装置１と相違する。本実施形態の点灯装置１ａについて、実施形態１の点灯装置１と同様の構成要素には同一の符号を付して説明を省略する。
【００６６】
力率改善回路６ａは、実施形態１の点灯装置１の力率改善回路６における、インダクタ６２、スイッチング素子６３、ダイオード６４及びコンデンサ６５の他に、コンデンサ６０、電流検出用抵抗６７及び電圧検出回路６８を備える。また、力率改善回路６ａは、実施形態１の点灯装置１の力率改善回路６における制御用ＩＣ６６の代わりに、制御用ＩＣ６６ａを備える。
【００６７】
コンデンサ６０は、整流回路５の一対の出力端間に接続されている。力率改善回路６ａでは、コンデンサ６０の一端が整流回路５の一対の出力端のうち高電位側の出力端とインダクタ６２との接続点に接続され、コンデンサ６０の他端が整流回路５の一対の出力端のうち低電位側の出力端に接続されている。
【００６８】
電流検出用抵抗６７は、スイッチング素子６３に流れる電流を検出するための抵抗であり、スイッチング素子６３に直列接続されている。要するに、力率改善回路６ａは、実施形態１の点灯装置１の力率改善回路６におけるインダクタ６２とスイッチング素子６３との直列回路の代わりに、インダクタ６２とスイッチング素子６３と電流検出用抵抗６７との直列回路を備える。力率改善回路６ａでは、スイッチング素子６３と電流検出用抵抗６７との接続点が制御用ＩＣ６６ａに接続されている。これにより、力率改善回路６ａでは、電流検出用抵抗６７の両端電圧が制御用ＩＣ６６ａに入力されるようになっている。スイッチング素子６３は、制御用ＩＣ６６ａから入力される制御信号に応じて、オン、オフが切り替えられる。言い換えれば、制御用ＩＣ６６ａは、スイッチング素子６３のオン、オフを制御する第１制御部（スイッチ制御部）を構成している。
【００６９】
電圧検出回路６８は、コンデンサ６５の両端電圧（力率改善回路６ａの出力電圧）を検出するための回路である。より詳細には、電圧検出回路６８は、２つの抵抗６８１、６８２の直列回路（抵抗分圧回路）である。点灯装置１ａでは、電圧検出回路６８における抵抗６８１と抵抗６８２との接続点が制御用ＩＣ６６ａ及び制御回路９ａに接続されている。これにより、点灯装置１ａでは、電圧検出回路６８の検出電圧（抵抗６８２の両端電圧）が制御用ＩＣ６６ａ及び制御回路９ａに入力されるようになっている。
【００７０】
力率改善回路６ａでは、制御用ＩＣ６６ａ（スイッチ制御部）が、電流検出用抵抗６７の両端電圧及び電圧検出回路６８の検出電圧に基づいてスイッチング素子６３のオン、オフを制御する。力率改善回路６ａでは、スイッチング素子６３のオン期間には、スイッチング素子６３に電流が流れ、スイッチング素子６３のオフ期間には、ダイオード６４に電流が流れる。ここにおいて、制御用ＩＣ６６ａは、休止期間のない鋸歯状の高周波電流がインダクタ６２に流れるように、スイッチング素子６３のオン、オフを制御する。また、制御用ＩＣ６６ａは、電圧検出回路６８の検出電圧が一定となるようにスイッチング素子６３のオン期間を制御する。ここにおいて、制御用ＩＣ６６ａは、電圧検出回路６８の検出電圧に基づいて、力率改善回路６ａの出力電圧が所定値（例えば、２８０Ｖ）となるようにスイッチング素子６３のオン期間を制御する。
【００７１】
点灯装置１ａは、制御回路９ａの動作電圧（例えば、５Ｖ）を生成する制御電源１９ａを備えている。ここにおいて、制御電源１９ａは、コンデンサ６５のプラス端子とスイッチ要素８との接続点と、コンデンサ６５のマイナス端子と、に接続されており、コンデンサ６５の両端電圧から制御回路９ａの動作電圧を生成する電源回路である。制御電源１９ａは、スイッチ要素８を介さずに力率改善回路６ａの一対の出力端間の電圧から制御回路９ａの動作電圧を生成して当該動作電圧を制御回路９ａへ与える。
【００７２】
本実施形態の点灯装置１ａにおいてスイッチ要素８を構成するＭＯＳＦＥＴ８２は、ｎチャネルのエンハンスメント型ＭＯＳＦＥＴである。点灯装置１ａでは、ＭＯＳＦＥＴ８２の一方の主端子（ドレイン端子）が力率改善回路６ａの一対の出力端のうち高電位側の出力端に電気的に接続され、他方の主端子（ソース端子）が定電流回路７の一対の入力端のうち高電位側の入力端に電気的に接続されている。また、点灯装置１ａでは、ＭＯＳＦＥＴ８２の制御端子（ゲート端子）が駆動回路８０に電気的に接続されている。
【００７３】
駆動回路８０は、力率改善回路６ａのインダクタ６２に磁気的に結合した副巻線８８を有する。ここにおいて、副巻線８８は、力率改善回路６ａのインダクタ６２を１次巻線とする２次巻線である。したがって、駆動回路８０では、力率改善回路６ａのインダクタ６２に流れる電流により副巻線８８に誘導電圧が誘起される。このときの副巻線８８の出力電圧（副巻線８８の両端電圧）は、副巻線８８の誘導電圧である。また、駆動回路８０では、力率改善回路６ａのインダクタ６２に電流が流れなくなると副巻線８８に誘導電圧が誘起されなくなり、副巻線８８の出力電圧がゼロとなる。駆動回路８０は、副巻線８８の出力電圧に応じてスイッチ要素８をオン、オフするように構成されている。より詳細には、駆動回路８０は、副巻線８８の他に、ダイオード８３、抵抗８４、コンデンサ８５及びツェナダイオード８６を含む整流回路と、抵抗８７と、を備える。駆動回路８０では、ダイオード８３と抵抗８４とコンデンサ８５との直列回路が副巻線８８の両端間に接続されている。ツェナダイオード８６は、カソードが抵抗８４とコンデンサ８５との接続点に接続されるようにコンデンサ８５に並列接続されている。駆動回路８０では、抵抗８４とコンデンサ８５との接続点がＭＯＳＦＥＴ８２のゲート端子に接続され、コンデンサ８５と副巻線８８との接続点がＭＯＳＦＥＴ８２のソース端子に接続されている。抵抗８７は、ＭＯＳＦＥＴ８２のゲート端子とソース端子との間に接続されている。
【００７４】
点灯装置１ａでは、力率改善回路６ａのインダクタ６２に電流が流れると、駆動回路８０の副巻線８８に誘起電圧が発生するので、ＭＯＳＦＥＴ８２をオフ状態からオン状態に移行させる。
【００７５】
制御回路９ａは、実施形態１の点灯装置１（図１参照）の制御回路９における半導体スイッチ素子９２の代わりに、マイコン（Microcontroller）９０を備える。したがって、制御回路９ａは、マイコン９０と、コンパレータ９１と、を備える。制御回路９ａには、コンパレータ９１の出力端子、定電流回路７の制御用ＩＣ７７と、力率改善回路６ａの制御用ＩＣ６６ａと、電圧検出回路６８と、が接続されている。制御回路９ａは、電圧検出回路６８の検出電圧と閾値電圧とを比較し、検出電圧が閾値電圧を超えたときに、スイッチ要素８を制御するように構成されている。閾値電圧は、力率改善回路６ａの出力電圧が所定値よりも大きな過電圧下限値になったと仮定したときの電圧検出回路６８の検出電圧の推測値に設定されている。ここにおいて、閾値電圧は、例えば、マイコン９０のメモリに記憶されている。本実施形態の点灯装置１ａでは、一例として、所定値が２８０Ｖ、過電圧下限値が３１０Ｖである。ここにおいて、過電圧下限値をＶＬ、抵抗６８１の抵抗値をＲ１、抵抗６８２の抵抗値をＲ２とすると、閾値電圧＝ＶＬ×｛Ｒ２／（Ｒ１＋Ｒ２）｝である。
【００７６】
制御回路９ａは、定電流回路７の抵抗７６の両端電圧が基準電圧を超えた場合若しくは電圧検出回路６８の検出電圧（出力電圧）が閾値電圧を超えた場合にスイッチ要素８を制御する。要するに、制御回路９ａは、光源１０に過電流が流れたとき若しくは力率改善回路６ａの一対の出力端間に過電圧が発生したときに、スイッチ要素８を制御する。ここにおいて、制御回路９ａは、制御用ＩＣ６６ａを制御することでスイッチ要素８であるＭＯＳＦＥＴ８２を制御する。ここにおいて、制御回路９ａは、制御用ＩＣ６６ａにスイッチング素子６３のオン、オフの制御を停止させることにより、ＭＯＳＦＥＴ８２を制御する。より詳細には、制御回路９ａは、制御用ＩＣ６６ａのオン、オフの制御を停止させてスイッチング素子６３にオフ状態を維持させることで副巻線８８の誘起電圧を低下させる（ＭＯＳＦＥＴ８２のゲート端子・ソース端子間電圧を低下させる）。これにより、制御回路９ａは、ＭＯＳＦＥＴ８２をオン状態からオフ状態に移行させる。
【００７７】
報知部１９０は、点灯装置１ａの故障を報知するために設けられている。報知部１９０は、制御回路９ａに接続されている。報知部１９０は、音響装置１９１と、発光装置１９２と、を備える。音響装置１９１は、例えば、ブザーである。発光装置１９２は、例えば、ＬＥＤである。
【００７８】
制御回路９ａは、光源１０に過電流が流れたとき若しくは力率改善回路６ａの一対の出力端間に過電圧が発生したときに報知部１９０を動作させる。ここにおいて、制御回路９ａは、音響装置１９１からブザー音を発生させ、発光装置１９２を点滅或いは点灯させる。報知部１９０は、音響装置１９１と発光装置１９２との少なくとも一方を備えていればよい。
【００７９】
以上説明した本実施形態の点灯装置１ａは、整流回路５と、非絶縁型の力率改善回路６ａと、非絶縁型の定電流回路７と、を備える。整流回路５は、一対の入力端間に入力される交流電圧を整流する。力率改善回路６ａは、整流回路５の一対の出力端間に電気的に接続されている。定電流回路７は、力率改善回路６ａの一対の出力端間に電気的に接続されている。点灯装置１ａは、スイッチ要素８と、制御回路９ａと、を更に備える。スイッチ要素８は、力率改善回路６ａと定電流回路７との間の電路１１を開閉する。制御回路９ａは、定電流回路７の一対の出力端間に電気的に接続される光源１０に過電流が流れたとき若しくは力率改善回路６ａの一対の出力端間に過電圧が発生したときにスイッチ要素８を制御して電路１１を遮断する。
【００８０】
以上の構成により、点灯装置１ａは、光源１０の点灯電圧に関係なく光源１０に過電流が流れるのを抑制することが可能となる。ここにおいて、点灯装置１ａでは、光源１０に過電流が流れると、制御回路９ａによりスイッチ要素８が制御されて力率改善回路６ａと定電流回路７との間の電路１１が遮断され、過電流が遮断される。よって、点灯装置１ａは、定電流回路７に異常が発生したとしても、光源１０の点灯電圧に関係なく光源１０に過電流が流れ続けるのを抑制することが可能となる。また、点灯装置１ａでは、力率改善回路６ａの一対の出力端間に過電圧が発生すると、制御回路９ａによりスイッチ要素８が制御されて力率改善回路６ａと定電流回路７との間の電路１１が遮断され、過電流が遮断される。
【００８１】
点灯装置１ａは、定電流回路７を複数備える。ここで、点灯装置１ａでは、複数の定電流回路７がそれぞれ、力率改善回路６ａの一対の出力端間に接続されている。点灯装置１ａでは、電路１１が複数在る。スイッチ要素８は、複数の定電流回路７に対応する複数の電路１１のうち共通する電流経路１２に設けられている。これにより、点灯装置１ａは、複数の定電流回路７を備えた構成において、比較例の点灯装置１ｒ（図３参照）のように複数の定電流回路７に一対一で対応するように第１保護回路１３又は第２保護回路１４を複数備える場合と比べて、低コスト化を図ることが可能となる。
【００８２】
点灯装置１ａでは、定電流回路７は、スイッチング素子７３と、スイッチング素子７３に直列に接続された抵抗７６と、を含む。制御回路９ａは、抵抗７６の両端電圧が基準電圧を超えたときにスイッチ要素８を制御して電路１１を遮断する。これにより、点灯装置１ａは、過電流をより精度良く検出可能となり、例えば、力率改善回路６ａの出力電圧が閾値未満となったときにスイッチ要素８を制御して電路１１を遮断するように構成した例と比べて、過電流をより確実に抑制することが可能となる。
【００８３】
点灯装置１ａでは、スイッチ要素８は、２つの主端子を有する半導体素子（ＭＯＳＦＥＴ８２）である。半導体素子（ＭＯＳＦＥＴ８２）は、２つの主端子（ドレイン端子、ソース端子）のうち一方の主端子（ドレイン端子）が、力率改善回路６ａの一対の出力端のうち高電位側の出力端に電気的に接続され、他方の主端子（ソース端子）が、定電流回路７の一対の入力端のうち高電位側の入力端に電気的に接続されている。これにより、点灯装置１ａは、スイッチ要素８を構成する半導体素子として一般的にスイッチング電源で使われているｎチャネルＭＯＳＦＥＴを使用可能であり、低コスト化を図ることが可能となる。
【００８４】
点灯装置１ａでは、力率改善回路６ａは、インダクタ６２と、スイッチング素子６３（力率改善用スイッチング素子）と、ダイオード６４と、コンデンサ６５と、制御用ＩＣ６６ａ（スイッチ制御部）と、を備える。力率改善回路６ａでは、インダクタ６２とスイッチング素子６３とを含む直列回路が、インダクタ６２が整流回路５の一対の出力端のうち高電位の出力端側となるように、整流回路５の一対の出力端間に接続されている。力率改善回路６ａでは、ダイオード６４のアノードが、インダクタ６２とスイッチング素子６３との接続点に接続され、ダイオード６４のカソードが、コンデンサ６５を介して整流回路５の一対の出力端のうち低電位側の出力端に電気的に接続されている。力率改善回路６ａは、スイッチング素子６３が制御用ＩＣ６６ａから入力される制御信号に応じて、オン、オフが切り替えられるように構成されている。点灯装置１ａは、スイッチ要素８を駆動する駆動回路８０を更に備える。駆動回路８０は、インダクタ６２に磁気的に結合した副巻線８８を有し、副巻線８８の出力電圧に応じてスイッチ要素８をオン、オフするように構成されている。制御回路９ａは、制御用ＩＣ６６ａ（スイッチ制御部）を制御することでスイッチ要素８を制御する。これにより、点灯装置１ａでは、力率改善回路６ａの動作中はスイッチ要素８がオン状態で電路１１が閉じられ、力率改善回路６ａの動作が停止すると、スイッチ要素８がオン状態からオフ状態に移行することで電路１１が遮断される。点灯装置１ａでは、スイッチ要素８の動作を力率改善回路６ａの動作と連動させることができるので、実施形態１のように制御回路９によるスイッチ要素８の直接制御が不要となる。
【００８５】
点灯装置１ａは、制御回路９ａの動作電圧を生成する制御電源１９ａを備える。制御電源１９ａは、スイッチ要素８を介さずに力率改善回路６ａの一対の出力端間の電圧から制御回路９ａの動作電圧を生成する。これにより、点灯装置１ａは、スイッチ要素８がオン状態からオフ状態に移行しても制御電源１９ａにおいて制御回路９ａの動作電圧を生成可能なので、スイッチ要素８がオン状態からオフ状態に移行しても制御回路９ａを動作させることが可能となる。
【００８６】
点灯装置１ａは、故障を報知する報知部１９０を備える。制御回路９ａは、光源１０に過電流が流れたとき若しくは力率改善回路６ａの一対の出力端間に過電圧が発生したときに報知部１９０を動作させる。これにより、点灯装置１ａは、点灯装置１ａの故障を点灯装置１ａの使用者に報知することが可能となる。
【００８７】
本実施形態の点灯装置１ａを実施形態１において説明した照明器具３００（図２参照）における点灯装置１の代わりに用いてもよい。すなわち、照明器具３００は、点灯装置１ａと、点灯装置１ａの定電流回路７の一対の出力端間に電気的に接続された光源１０と、光源１０を保持する器具本体３０２と、を備えた構成でもよい。これにより、照明器具３００は、光源１０の点灯電圧に関係なく光源１０に過電流が流れるのを抑制することが可能となる。
【００８８】
また、上述のスイッチ要素８は、２つの主端子を有する半導体素子であれば、ＭＯＳＦＥＴ８２に限らず、例えば、バイポーラトランジスタ、ＩＧＢＴ等でもよい。
【００８９】
上述した実施形態１、２は本発明の一例である。このため、本発明は、上述の実施形態１、２に限定されることはなく、これら実施形態１、２以外であっても、本発明に係る技術的思想を逸脱しない範囲であれば、設計等に応じて種々の変更が可能であることは勿論のことである。
【００９０】
例えば、定電流回路７は、降圧チョッパ回路に限らず、トランジスタとスイッチング素子とを用いた非絶縁型の定電流回路であればよく、例えば、カレントミラー回路等でもよい。
【００９１】
また、光源１０は、複数のＬＥＤ１００が直列接続された構成に限らず、例えば、複数のＬＥＤ１００が直並列接続された構成でもよい。
【００９２】
また、光源１０は、複数のＬＥＤ１００を含む構成に限らず、例えば、複数のレーザダイオードを含む構成、複数の有機エレクトロルミネッセンス素子を含む構成等でもよい。
【００９３】
また、照明器具は、シーリングライトに限らず、例えば、ダウンライト、スポットライト等でもよい。
【符号の説明】
【００９４】
１、１ａ  点灯装置
５  整流回路
６、６ａ  力率改善回路
６２  インダクタ
６３  スイッチング素子（力率改善用スイッチング素子）
６４  ダイオード
６５  コンデンサ
６６ａ  制御用ＩＣ（スイッチ制御部）
７  定電流回路
７３  スイッチング素子
７６  抵抗
８  スイッチ要素
８１  ＭＯＳＦＥＴ（半導体素子）
８２  ＭＯＳＦＥＴ（半導体素子）
９、９ａ  制御回路
１０  光源
１１  電路
１２  電流経路
１９ａ  制御電源
８０  駆動回路
８８  副巻線
１９０  報知部
３００  照明器具
３０２  器具本体
【図１】
2018014310.tif 000003
【図２】
2018014310.tif 000004
【図３】
2018014310.tif 000005
【図４】
2018014310.tif 000006